【手続補正書】
【提出日】平成20年4月15日(2008.4.15)
【手続補正１】
【補正対象書類名】特許請求の範囲
【補正対象項目名】全文
【補正方法】変更
【補正の内容】
【特許請求の範囲】
【請求項１】
像担持体、当該像担持体を露光する露光部、並びに、露光によって生成された静電潜像を記録材で顕像化する現像部を有する画像形成部を有する画像形成装置であって、
前記像担持体を主走査方向に走査しながら露光する際の、露光位置の副走査方向におけるずれ量を表すずれ量情報を記憶するずれ量記憶手段と、
前記ずれ量に基づいて、前記副走査方向におけるずれを補正するためのずれ補正量を演算するずれ補正量演算手段と、
複数の画素データで構成される画像データを記憶する画像データ記憶手段と、
前記ずれ補正量のうち画素単位のずれ量に基づいて、複数の画素データで構成される画像データに対し画素単位のずれを補正する補正手段と、
前記補正手段により補正された前記画素データについて、前記ずれ補正量のうち画素単位未満のずれ量に基づき画素濃度の変換を行う濃度変換手段と
を備え、
前記複数の画素データのうち、注目画素を中心とした所定領域内の画素データで構成される画像データの特徴を検出し、前記検出された該特徴に従い、前記濃度変換手段による画素の濃度変換の強さを切り替えることを特徴とする画像形成装置。
【請求項２】
前記濃度変換手段において濃度変換された前記画素データのハーフトーン処理を行うハーフトーン処理手段と、
前記濃度変換手段において濃度変換された前記画素データの例外処理を行う例外処理手段と、
前記特徴に従い前記例外処理と前記ハーフトーン処理とのいずれを選択するかを決定する処理決定手段と、
前記処理決定手段における決定に基づいて、前記例外処理手段及びハーフトーン処理手段のいずれかの処理結果を選択し、前記露光部の露光制御信号として出力する出力手段と
を備えることを特徴とする請求項１に記載の画像形成装置。
【請求項３】
前記画像データの特徴に基づいて、前記画素濃度の変換を行うための係数が決定され、
前記濃度変換手段は、前記係数を利用して、前記色ずれ補正量のうち画素単位未満の色ずれ量に基づく画素濃度の変換を行うことを特徴とする請求項１に記載の画像形成装置。
【請求項４】
前記係数は、前記画素濃度を前記副走査方向に分散させるための係数であることを特徴とする請求項３に記載の画像形成装置。
【請求項５】
前記係数は、所定倍の前記画素濃度を前記副走査方向に分散させるための係数であることを特徴とする請求項３に記載の画像形成装置。
【請求項６】
前記係数は、前記画素濃度を前記副走査方向に分散させないための係数であることを特徴とする請求項３に記載の画像形成装置。
【請求項７】
複数のパターン画像を記憶するパターン画像記憶手段を更に備え、
前記注目画素を中心とした所定領域内の画素で構成される画像データと、前記パターン画像とを比較することにより、前記特徴が検出されることを特徴とする請求項１乃至６のいずれか１項に記載の画像形成装置。
【請求項８】
像担持体、当該像担持体を露光する露光部、並びに、露光によって生成された静電潜像を記録材で顕像化する現像部を有する画像形成部を有し、前記像担持体を主走査方向に走査しながら露光する際の、露光位置の副走査方向におけるずれ量を表すずれ量情報を記憶するずれ量記憶部を備える画像形成装置の制御方法であって、
前記ずれ量に基づいて、前記副走査方向におけるずれを補正するためのずれ補正量を演算する色ずれ補正量演算工程と、
複数の画素データで構成される画像データを画像データ記憶部に記憶させる記憶工程と、
前記ずれ補正量のうち画素単位のずれ量に基づいて、複数の画素データで構成される画像データに対し画素単位のずれを補正する補正工程と、
前記補正工程において補正された前記画素データについて、前記ずれ補正量のうち画素単位未満のずれ量に基づき画素濃度の変換を行う濃度変換工程と、
を備え、
前記複数の画素データのうち、注目画素を中心とした所定領域内の画素データで構成される画像データの特徴を検出し、前記検出された該特徴に従い、前記濃度変換工程における画素の濃度変換の強さを切り替えることを特徴とする画像形成装置の制御方法。
【請求項９】
前記濃度変換工程において濃度変換された前記画素データのハーフトーン処理を行うハーフトーン処理工程と、
前記濃度変換工程において濃度変換された前記画素データの例外処理を行う例外処理工程と、
前記特徴に従い前記例外処理と前記ハーフトーン処理とのいずれを選択するかを決定する処理決定工程と、
前記処理決定工程における決定に基づいて、前記例外処理工程及びハーフトーン処理工程のいずれかの処理結果を選択し、前記露光部の露光制御信号として出力する出力工程と
を備えることを特徴とする請求項８に記載の画像形成装置の制御方法。
【請求項１０】
前記画像データの特徴に基づいて、前記画素濃度の変換を行うための係数が決定され、
前記濃度変換工程では、前記係数を利用して、前記色ずれ補正量のうち画素単位未満の色ずれ量に基づく画素濃度の変換が行われることを特徴とする請求項８に記載の画像形成装置の制御方法。
【請求項１１】
前記係数は、前記画素濃度を前記副走査方向に分散させるための係数であることを特徴とする請求項１０に記載の画像形成装置の制御方法。
【請求項１２】
前記係数は、所定倍の前記画素濃度を前記副走査方向に分散させるための係数であることを特徴とする請求項１０に記載の画像形成装置の制御方法。
【請求項１３】
前記係数は、前記画素濃度を前記副走査方向に分散させないための係数であることを特徴とする請求項１０に記載の画像形成装置の制御方法。
【請求項１４】
複数のパターン画像を記憶するパターン画像記憶工程を更に備え、
前記処理決定工程では、前記注目画素を中心とした所定領域内の画素で構成される画像データと、所定のパターン画像とを比較することにより、前記特徴が検出されることを特徴とする請求項８乃至１３のいずれか１項に記載の画像形成装置の制御方法。
【請求項１５】
請求項８乃至１４のいずれか１項に記載の画像形成装置の制御方法をコンピュータに実行させるためのコンピュータプログラム。
【手続補正２】
【補正対象書類名】明細書
【補正対象項目名】００１２
【補正方法】変更
【補正の内容】
【００１２】
上記課題を解決するための本発明は、像担持体、当該像担持体を露光する露光部、並びに、露光によって生成された静電潜像を記録材で顕像化する現像部を有する画像形成部を有する画像形成装置であって、
前記像担持体を主走査方向に走査しながら露光する際の、露光位置の副走査方向におけるずれ量を表すずれ量情報を記憶するずれ量記憶手段と、
前記ずれ量に基づいて、前記副走査方向におけるずれを補正するためのずれ補正量を演算するずれ補正量演算手段と、
複数の画素データで構成される画像データを記憶する画像データ記憶手段と、
前記ずれ補正量のうち画素単位のずれ量に基づいて、複数の画素データで構成される画像データに対し画素単位のずれを補正する補正手段と、  前記補正手段により補正された前記画素データについて、前記ずれ補正量のうち画素単位未満のずれ量に基づき画素濃度の変換を行う濃度変換手段と
を備え、
前記複数の画素データのうち、注目画素を中心とした所定領域内の画素データで構成される画像データの特徴を検出し、前記検出された該特徴に従い、前記濃度変換手段による画素の濃度変換の強さを切り替えることを特徴とする画像形成装置。
【手続補正３】
【補正対象書類名】明細書
【補正対象項目名】００１３
【補正方法】削除
【補正の内容】